(57)【要約】      （修正有）【課題】震災非常時、振動により半転と同時に点灯し、携帯することができる非常灯の提供。【解決手段】硬質プラスチック製壁取付け台座１と、硬質プラスチック製半転非常灯２をつくる、壁取付け台座１背面に木捻子用孔３を２箇所あけ、壁取付け台座１に、半転非常灯２の支持部４を壁取付け台座１に振動が伝わった場合半転非常灯２の自重で半転可能な位置に左右対称に取付ける。支持部４にバネ５を内蔵し、バネ５の調整捻子６を設け先端７は球状とし、半転非常灯２の窪み９と同一とする、バネ５の圧力により半転非常灯２の半転動作と落下防止及び、取り外しの容易さを併せ持つ構造とした。壁取付け台座１下部に半転非常灯２のスイッチ８のスイッチ操作用捻子１０をつける、壁取付け台座１上部に取り付けたコイルバネ１１により、半転非常灯２が壁側に転倒しないよう補足する。【選択図】図３
0003112625.tif 000002
【実用新案登録請求の範囲】
【請求項１】
硬質プラスチック製の壁取付け台座１に、硬質プラスチック製の半転非常灯２を設置し、地震による振動で、半転と同時に点灯する携帯可能な自動半転非常灯。
【考案の詳細な説明】
【考案の開示】
【考案が解決しようとする課題】
【０００１】従来の非常灯は、台座より取外した時点でのみ点灯する方式で、地震等による災害時、夜間停電した状態では、取付けた場所が判り難い問題点を有していた。
【課題を解決するための手段】
【０００２】上記目的を達成するために、台座上に設置した半転非常灯が地震による振動で、自動半転点灯し、室内下方を照らし出すものである。
【考案の効果】
【０００３】半転非常灯が自動点灯する事で、室内の把握と取り付け位置の明確さにより、いち早く壁取付け台座より自動半転非常灯を取外し携帯、安全且つ敏速な非難を可能としている。
【図面の簡単な説明】
【０００４】
【図１】半転非常灯壁取付け台座の正面図、側面図、上面図、底面図である。
【図２】半転非常灯の正面図、側面図、上面図、底面図である。
【図３】壁取付け台座及び自動半転非常灯の構成図である。
【図４】自動半転非常灯の動作図である。
【符号の説明】
【０００５】１    硬質プラスチック製壁取付け台座
２    硬質プラスチック製自動半転非常灯
３    木捻子用孔
４    支持部
５    バネ
６    調整捻子
７    先端
８    スイッチ
９    自動半転非常灯窪み
１０  スイッチ操作用捻子
１１  コイルバネ
【図１】
0003112625.tif 000003
【図２】
0003112625.tif 000004
【図３】
0003112625.tif 000005
【図４】
0003112625.tif 000006
【手続補正書】
【提出日】平成17年4月25日(2005.4.25)
【手続補正１】
【補正対象書類名】実用新案登録請求の範囲
【補正対象項目名】全文
【補正方法】変更
【補正の内容】
【実用新案登録請求の範囲】
【請求項１】
本考案は、一定以上の震動を受けたときに硬質プラスチック製の壁取付け台座上に設置した、ランプ部及びバッテリーを内蔵する非常灯が自重により、壁取付け台座左右対称に設けた非常灯支持部の支持金具を支点に反転をし、同時に非常灯内下部に設けたスイッチが台座下部のスイッチ操作用捻子から開放され、スイッチ用コイルバネの押圧により、バッテリー不動接点へ可動接点が確実に接触をして、自動的に電流のスイッチがＯＮになり、電球を自動点灯させることを特徴とする、また、非常灯は、支持部内部に備えられた調整バネの押圧を調整捻子で調整することにより、震度調整と落下防止に貢献し、簡単に脱着することができる携帯可能な自動反転非常灯。
【手続補正２】
【補正対象書類名】明細書
【補正対象項目名】全文
【補正方法】変更
【補正の内容】
【考案の詳細な説明】
【技術分野】
【０００１】本考案は、壁取付け台座上に設置したランプ部及びバッテリーを有する非常灯が、地震による震動で、壁取付け台座左右対称に設けた非常灯支持部の支持金具を支点に反転をし、同時に非常灯内下部のスイッチが台座下部のスイッチ操作用捻子から開放され、スイッチ用コイルバネの押圧により、バッテリー不動接点へ可動接点が確実に接触をして自動的に電流のスイッチが入り、電球を自動点灯させることを特徴としたものである。また、本考案は、携帯することを前提にしているので、台座支持部内の支持金具調整バネと調整捻子によりバネの押圧を利用して、台座より簡単に脱着することができる構造になっている。
【背景技術】
【０００２】従来の非常灯は、台座より取外した時点でのみ点灯する方式で、地震等による災害時、夜間停電した状態では取付け場所が判り難い問題点を有していた、また、通常の懐中電灯方式で、地震時に磁石、或いは重り玉等を利用して自動点灯させる非常灯がある。（例えば、特許文献１参照）本考案は、震動により台座上で反転した非常灯が自動点灯をし、上方より室内を照らし出すと共に、震度調整と携帯をも可能にしたものであり、他の技術とは異なるものである。【特許文献１】実案開平５−５３３２２号
【考案の開示】
【考案が解決しようとする課題】
【０００３】従来の非常灯は、台座より取外した時点でスイッチが入りランプが点灯する方式で、地震等の災害時夜間停電した状態では取付け位置が判り難い問題点と、震度調整が不可能な欠点があった、本考案は、震災時停電した状況下に於いて、台座上に設置した非常灯が自動反転点灯をし、室内を照らし出すと共に微弱な震動では反応しない構造として、且つ、台座より容易に取外しできるようにするものである。
【課題を解決するための手段】
【０００４】本考案は、上記目的を達成するために、壁取付け台座１上に設置した自動反転非常灯２が一定規模以上の震動で、自重により支持部４の支持金具７を支点とし反転をする、同時に壁取り付け台座１下部のスイッチ操作捻子１０に押し上げられていた自動反転非常灯２のスイッチ１７が解放され、陰極側可動接点１８がバッテリー２０部の不動接点１９にコイルバネ１６の押圧により確実に接触をしてランプ２１を点灯させる。また、震度の調整は、壁取付け台座１の支持部４調整捻子６を左右回転することにより、調整バネ５を介して調整金具７が自動反転非常灯２の窪み９に押圧され、震度調整と取外しの容易さを可能とするものである。
【考案の効果】
【０００５】このようにすれば、自動反転非常灯２が自動点灯することで、室内の把握と取付け位置の明確さにより、いち早く壁取付け台座１より自動反転非常灯２を取外し携帯、且つ、安全で敏速な避難を可能とする。
【考案を実施するための最良の形態】
【０００６】震災などの災害で停電状態になったような場合、震動により自動点灯して、安全敏速に非難することができる携帯可能な自動反転非常灯２を提供する、それを図面について説明すれば、製作した自動反転非常灯２の支持部４と支持金具７、調整バネ５及び、スイッチ操作捻子１０を備えた壁取付け台座１を木捻子にて、木捻子用穴３を介して柱又は壁などに固定する、固定した壁取付け台座１上に自動反転非常灯２に設けられた設置窪み９とスイッチ１７を個々に合致させ自動反転非常灯２を設置する、設置された自動反転非常灯２は、上部に配置したランプ２１とランプを保持する反射板１３、また、中蓋１４に取付けたバッテリー２０を常に上方へ押圧しバッテリー２０の陽極を常時ランプに接触させる圧縮バネ１５、スイッチ１７及び、コイルバネ１６、可動接点１８、不動接点１９、通電体８により形成され、一定以上の震動で、自動反転非常灯２が自重による反転動作時に、スイッチ１７がスイッチ操作捻子１０による切状態から開放され、同時に可動接点１８がコイルバネ１６の押圧によって確実に不動接点１９へ陰極側を接触させ、通電体８及び、反射板１３を介してランプ２１を点灯させるものである。
【図面の簡単な説明】
【０００７】
【図１】自動反転非常灯及び、壁取付け台座の斜視図である。
【図２】自動反転非常灯及び、壁取付け台座の設置斜視図である。
【図３】自動反転非常灯の平面図、正面図、側面図、底面図である。
【図４】自動反転非常灯の内部構成図である。
【図５】壁取付け台座の平面図、正面図、側面図である。
【図６】自動反転非常灯の動作図である。
【符号の説明】
【０００８】１      硬質プラスチック製壁取付け台座２      硬質プラスチック製自動反転非常灯３      木捻子用穴４      非常灯支持部５      調整バネ６      調整捻子７      調整金具８      通電体９      窪み１０    スイッチ操作捻子１１    台座コイルバネ１２    キャップ１３    反射板１４    中蓋１５    圧縮バネ１６    コイルバネ１７    スイッチ１８    可動接点１９    不動接点２０    バッテリー２１    ランプ
【手続補正３】
【補正対象書類名】図面
【補正対象項目名】全図
【補正方法】変更
【補正の内容】
【図１】
0003112625.tif 000007
【図２】
0003112625.tif 000008
【図３】
0003112625.tif 000009
【図４】
0003112625.tif 000010
【図５】
0003112625.tif 000011
【図６】
0003112625.tif 000012